(57)【要約】【課題】他システムと共用する周波数帯域の一部を用いるマルチキャリア通信に、ターボ符号およびハンドオーバを組み合わせる場合において、使用する周波数帯域の一部に干渉が存在する場合であっても、通信品質の劣化を抑制して通信品質を向上させること。【解決手段】周波数選択部２０４は、ハンドオーバ時に、ハンドオーバ元及びハンドオーバ先の基地局の周波数情報（干渉レベルが所定値よりも低いサブバンド、システマティックビットが配置されているサブバンドおよびパリティビットが配置されているサブバンド）に基づいて、システマティックビット配置用サブバンド及びパリティビット配置用サブバンドを選択する。【選択図】図３
2017092927.tif 000002
【特許請求の範囲】
【請求項１】
他システムと共用する周波数帯域の一部のキャリア周波数を用いて移動局と通信する複数の基地局を制御する制御局であって、
前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信する受信部と、
前記第１周波数情報および前記第２周波数情報に基づいてシステマティックビット配置用のキャリア周波数およびパリティビット配置用のキャリア周波数を選択する周波数選択部と、
前記システマティックビット配置用のキャリア周波数および前記パリティビット配置用のキャリア周波数を示す信号割当情報を生成する信号割当情報生成部と、
前記第１基地局および前記第２基地局に前記信号割当情報を送信する送信部と、
を具備する制御局。
【請求項２】
前記周波数選択部は、
前記第１基地局および前記第２基地局の両方において干渉レベルが前記閾値未満のキャリア周波数の数が、前記システマティックビットを割り当てるのに必要な数以上である場合、前記干渉レベルが所定値未満のキャリア周波数の中から前記システマティックビット配置用のキャリア周波数を選択する、
請求項１に記載の制御局。
【請求項３】
前記周波数選択部は、
前記第１基地局および前記第２基地局の両方において干渉レベルが前記閾値未満のキャリア周波数の数が、前記システマティックビットを割り当てるのに必要な数未満である場合、前記干渉レベルが所定値未満のキャリア周波数を前記システマティックビット配置用として選択し、
残りのシステマティックビットについて、前記第１基地局で前記システマティックビットを配置しているキャリア周波数の中から前記システマティックビット配置用のキャリア周波数を選択する、
請求項１または２に記載の制御局。
【請求項４】
前記周波数選択部は、
前記第１基地局および前記第２基地局の両方において干渉レベルが前記閾値未満のキャリア周波数が無い場合、前記第１基地局で前記システマティックビットを配置しているキャリア周波数を、前記システマティックビット配置用のキャリア周波数として選択する、
請求項１から３のいずれかに記載の制御局。
【請求項５】
前記第１基地局と前記第２基地局との間で行われたハンドオーバの頻度が基準頻度以上か否かを判定する頻度判定部を更に具備し、
前記周波数選択部は、
前記ハンドオーバの頻度が前記基準頻度以上の場合には、前記第１基地局で前記システマティックビットを配置しているキャリア周波数の中から前記システマティックビット配置用のキャリア周波数と前記第２基地局において干渉レベルが前記閾値未満のキャリア周波数を、前記システマティックビット配置用として交互に選択する、
請求項１または２に記載の制御局。
【請求項６】
前記第１基地局と前記第２基地局との間で行われたハンドオーバの頻度が基準頻度以上か否かを判定する頻度判定部を更に具備し、
前記周波数選択部は、
前記第１基地局および前記第２基地局の両方において干渉レベルが前記閾値未満のキャリア周波数の数が、前記システマティックビットを割り当てるのに必要な数未満である場合、前記干渉レベルが所定値未満のキャリア周波数を前記システマティックビット配置用として選択し、
残りのシステマティックビットについて、前記ハンドオーバの頻度が前記基準頻度未満の場合には、前記第１基地局で前記システマティックビットを配置しているキャリア周波数の中から前記システマティックビット配置用のキャリア周波数を選択し、前記ハンドオーバの頻度が前記基準頻度以上の場合には、前記第１基地局で前記システマティックビットを配置しているキャリア周波数の中から前記システマティックビット配置用のキャリア周波数と前記第２基地局において干渉レベルが前記閾値未満のキャリア周波数を交互に選択する、
請求項１または２に記載の制御局。
【請求項７】
前記周波数選択部は、
前記第１基地局および前記第２基地局の両方において干渉レベルが前記閾値未満のキャリア周波数が無い場合、前記ハンドオーバの頻度が前記基準頻度未満の場合には、前記第１基地局で前記システマティックビットを配置しているキャリア周波数を、前記システマティックビット配置用のキャリア周波数として選択し、前記ハンドオーバの頻度が前記基準頻度以上の場合には、前記第１基地局で前記システマティックビットを配置しているキャリア周波数の中から前記システマティックビット配置用のキャリア周波数と前記第２基地局において干渉レベルが前記閾値未満のキャリア周波数を交互に選択する、
請求項６に記載の制御局。
【請求項８】
前記周波数選択部は、
前記第２基地局において前記閾値より大きい第２閾値よりも干渉レベルが大きいキャリア周波数には、前記システマティックビットおよび前記パリティビットのいずれも配置しない、
請求項１から７のいずれかに記載の制御局。
【請求項９】
他システムと共用する周波数帯域の一部のキャリア周波数を用いてＯＦＤＭ信号を移動局に送信する基地局であって、
前記周波数帯域の干渉レベルに基づいて前記周波数帯域における前記他システムが使用していない空き周波数帯域を選択し、前記空き周波数帯域のキャリア周波数の内、前記干渉レベルが閾値よりも低いキャリア周波数の中からシステマティックビット配置用のキャリア周波数を選択し、前記システマティックビット配置用のキャリア周波数以外の中からパリティビット配置用のキャリア周波数を選択する周波数選択部と、
前記干渉レベルが前記閾値未満のキャリア周波数、前記周波数選択部が選択した前記システマティックビット配置用のキャリア周波数および前記パリティビット配置用のキャリア周波数を示す周波数情報を制御局に送信し、前記制御局が割り当てた前記システマティックビット配置用のキャリア周波数およびパリティビット配置用のキャリア周波数を示す信号割当情報を前記制御局から受信する制御局通信部と、
送信データに対してターボ符号化処理を行い、システマティックビットおよびパリティビットを出力するターボ符号化部と、
ハンドオーバ時に、前記信号割当情報に基づいて、前記システマティックビット配置用のキャリア周波数に前記システマティックビットを配置し、前記パリティビット配置用のキャリア周波数に前記パリティビットを配置するキャリア配置部と、
前記信号割当情報を含む制御信号を生成する制御信号生成部と、
前記キャリア周波数に配置された前記システマティックビットおよび前記パリティビット、および、前記制御信号に対して直交周波数分割多重処理を行うことにより、前記ＯＦＤＭ信号を生成する直交周波数分割多重部と、
前記移動局に前記ＯＦＤＭ信号を送信する送信部と、
を具備する基地局。
【請求項１０】
前記制御局通信部は、
非ハンドオーバ時に、前記周波数情報を前記信号割当情報とする、
請求項９に記載の基地局。
【請求項１１】
他システムと共用する周波数帯域の一部のキャリア周波数を用いて移動局と基地局とが通信し、制御局が複数の基地局を制御する通信システムであって、
前記基地局は、
前記周波数帯域の干渉レベルに基づいて前記周波数帯域における前記他システムが使用していない空き周波数帯域を選択し、前記空き周波数帯域のキャリア周波数の内、前記干渉レベルが閾値よりも低いキャリア周波数の中からシステマティックビット配置用のキャリア周波数を選択し、前記システマティックビット配置用のキャリア周波数以外の中からパリティビット配置用のキャリア周波数を選択する周波数選択部と、
前記干渉レベルが前記閾値未満のキャリア周波数、前記周波数選択部が選択した前記システマティックビット配置用のキャリア周波数および前記パリティビット配置用のキャリア周波数を示す周波数情報を前記制御局に送信し、前記制御局が割り当てた前記システマティックビット配置用のキャリア周波数およびパリティビット配置用のキャリア周波数を示す信号割当情報を前記制御局から受信する前記制御局通信部と、
ハンドオーバ時に、前記信号割当情報を含む制御信号を生成する制御信号生成部と、
前記移動局に前記制御信号を送信する送信部と、
を具備し、
前記制御局は、
前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信する受信部と、
前記第１周波数情報および前記第２周波数情報に基づいてシステマティックビット配置用のキャリア周波数およびパリティビット配置用のキャリア周波数を選択する周波数選択部と、
前記システマティックビット配置用のキャリア周波数および前記パリティビット配置用のキャリア周波数を示す信号割当情報を生成する信号割当情報生成部と、
前記第１基地局および前記第２基地局に前記信号割当情報を送信する送信部と、
を具備し、
前記移動局は、
前記制御信号を受信する受信部と、
送信データに対してターボ符号化処理を行い、システマティックビットおよびパリティビットを出力するターボ符号化部と、
前記制御信号に含まれる前記信号割当情報に基づいて前記システマティックビット配置用のキャリア周波数に前記システマティックビットを配置し、前記パリティビット配置用のキャリア周波数に前記パリティビットを配置するキャリア配置部と、
前記キャリア周波数に配置された前記システマティックビットおよび前記パリティビットに対して直交周波数分割多重処理を行うことにより、前記ＯＦＤＭ信号を生成する直交周波数分割多重部と、
前記基地局に前記ＯＦＤＭ信号を送信する送信部と、
を具備する、
通信システム。
【請求項１２】
他システムと共用する周波数帯域の一部のキャリア周波数を用いて移動局と基地局とが通信し、制御局が複数の基地局を制御する通信システムであって、
前記基地局は、
前記周波数帯域の干渉レベルに基づいて前記周波数帯域における前記他システムが使用していない空き周波数帯域を選択し、前記空き周波数帯域のキャリア周波数の内、前記干渉レベルが閾値よりも低いキャリア周波数の中からシステマティックビット配置用のキャリア周波数を選択し、前記システマティックビット配置用のキャリア周波数以外の中からパリティビット配置用のキャリア周波数を選択する周波数選択部と、
前記干渉レベルが前記閾値未満のキャリア周波数、前記周波数選択部が選択した前記システマティックビット配置用のキャリア周波数および前記パリティビット配置用のキャリア周波数を示す周波数情報を前記制御局に送信し、前記制御局が割り当てた前記システマティックビット配置用のキャリア周波数およびパリティビット配置用のキャリア周波数を示す信号割当情報を前記制御局から受信する前記制御局通信部と、
ハンドオーバ時に、前記信号割当情報を含む制御信号を生成する制御信号生成部と、
前記移動局に前記制御信号を送信する送信部と、
を具備し、
前記制御局は、
前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信する受信部と、
前記第１基地局と前記第２基地局との間で行われたハンドオーバの頻度が基準頻度以上か否かを判定する頻度判定部と、
前記第１周波数情報および前記第２周波数情報および前記ハンドオーバの頻度に基づいてシステマティックビット配置用のキャリア周波数およびパリティビット配置用のキャリア周波数を選択する周波数選択部と、
前記システマティックビット配置用のキャリア周波数および前記パリティビット配置用のキャリア周波数を示す信号割当情報を生成する信号割当情報生成部と、
前記第１基地局および前記第２基地局に前記信号割当情報を送信する送信部と、
を具備し、
前記移動局は、
前記制御信号を受信する受信部と、
送信データに対してターボ符号化処理を行い、システマティックビットおよびパリティビットを出力するターボ符号化部と、
前記制御信号に含まれる前記信号割当情報に基づいて前記システマティックビット配置用のキャリア周波数に前記システマティックビットを配置し、前記パリティビット配置用のキャリア周波数に前記パリティビットを配置するキャリア配置部と、
前記キャリア周波数に配置された前記システマティックビットおよび前記パリティビットに対して直交周波数分割多重処理を行うことにより、前記ＯＦＤＭ信号を生成する直交周波数分割多重部と、
前記基地局に前記ＯＦＤＭ信号を送信する送信部と、
を具備する、
通信システム。
【請求項１３】
前記制御部は、
前記基地局のセル内の移動局がセルエッジに存在する場合、前記基地局に、前記周波数情報の送信を指示する指示信号を送信し、
前記指示信号を送信した後、前記基地局のセル内の移動局がセルエッジに存在しなくなった場合、前記基地局に、前記周波数情報の送信が不要となった旨を通知する不要通知信号を送信し、
前記基地局は、
前記指示信号を受信してから前記不要通知信号を受信するまでの間、前記制御局に、前記周波数情報を継続的に送信する、
請求項１１または１２に記載の通信システム。
【請求項１４】
他システムと共用する周波数帯域の一部のキャリア周波数を用いて移動局と通信する複数の基地局を制御する制御局によるハンドオーバ方法であって、
前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信するステップと、
前記第１周波数情報および前記第２周波数情報に基づいてシステマティックビット配置用のキャリア周波数およびパリティビット配置用のキャリア周波数を選択するステップと、
前記システマティックビット配置用のキャリア周波数および前記パリティビット配置用のキャリア周波数を示す信号割当情報を生成するステップと、
前記第１基地局および前記第２基地局に前記信号割当情報を送信するステップと、
を具備するハンドオーバ方法。
【請求項１５】
他システムと共用する周波数帯域の一部のキャリア周波数を用いて移動局と通信する複数の基地局を制御する制御局によるハンドオーバ方法であって、
前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信するステップと、
前記第１基地局と前記第２基地局との間で行われたハンドオーバの頻度が基準頻度以上か否かを判定するステップと、
前記第１周波数情報および前記第２周波数情報および前記ハンドオーバの頻度に基づいてシステマティックビット配置用のキャリア周波数およびパリティビット配置用のキャリア周波数を選択するステップと、
前記システマティックビット配置用のキャリア周波数および前記パリティビット配置用のキャリア周波数を示す信号割当情報を生成するステップと、
前記第１基地局および前記第２基地局に前記信号割当情報を送信するステップと、
を具備するハンドオーバ方法。
【発明の詳細な説明】
【技術分野】
【０００１】
本発明は、他システムと共用する周波数帯域の一部のキャリア周波数を用いてマルチキャリア通信を行う制御局、基地局、通信システムおよびハンドオーバ方法に関する。
【背景技術】
【０００２】
従来、テレビの生中継又は緊急報道等の映像伝送を行う無線通信システムに用いる装置として、ＦＰＵ（Field Pick-up Unit）が知られている。ＦＰＵは、放送分野の素材伝送のために用いられ、トランシーバ等の他システムと共用する周波数帯域の一部を用いて無線通信を行う。このため、ＦＰＵでは、使用中の周波数帯域における干渉の有無を常時監視し、他のシステムとの干渉を防ぐ必要がある。ＦＰＵの基地局は、受信レベル（干渉量）を測定し、受信レベルが所定の閾値を越えた場合に、他のシステムが当該周波数帯域の使用を開始した（干渉が発生した）と判断し、当該周波数帯域の使用を中止する。
【０００３】
また、従来、ターボ符号化方式とＯＦＤＭ（Orthogonal Frequency Division Multiplexing）通信方式とを組み合わせ、システマティックビットとパリティビットとを各々異なるサブキャリアに配置する通信システムが知られている（特許文献１参照）。
【０００４】
更に、従来、移動局が基地局間をハンドオーバする通信システムが知られている。
【先行技術文献】
【特許文献】
【０００５】
【特許文献１】特開２００４−１８７２５７号公報
【発明の概要】
【発明が解決しようとする課題】
【０００６】
しかしながら、これまで、ＦＰＵのように、他システムと共用する周波数帯域の一部を用いるマルチキャリア通信に、ターボ符号およびハンドオーバを組み合わせる技術については開示されていない。
【０００７】
本発明の目的は、他システムと共用する周波数帯域の一部を用いるマルチキャリア通信に、ターボ符号およびハンドオーバを組み合わせる場合において、使用する周波数帯域の一部に干渉が存在する場合であっても、通信品質の劣化を抑制して通信品質を向上させることができる制御局、基地局、通信システムおよびハンドオーバ方法を提供することである。
【課題を解決するための手段】
【０００８】
本開示に係る制御局は、他システムと共用する周波数帯域の一部のキャリア周波数を用いて移動局と通信する複数の基地局を制御する制御局であって、前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信する受信部と、前記第１周波数情報および前記第２周波数情報に基づいてシステマティックビット配置用のキャリア周波数およびパリティビット配置用のキャリア周波数を選択する周波数選択部と、前記システマティックビット配置用のキャリア周波数および前記パリティビット配置用のキャリア周波数を示す信号割当情報を生成する信号割当情報生成部と、前記第１基地局および前記第２基地局に前記信号割当情報を送信する送信部と、を具備する構成を採る。
【０００９】
本開示に係る基地局は、他システムと共用する周波数帯域の一部のキャリア周波数を用いてＯＦＤＭ信号を移動局に送信する基地局であって、前記周波数帯域の干渉レベルに基づいて前記周波数帯域における前記他システムが使用していない空き周波数帯域を選択し、前記空き周波数帯域のキャリア周波数の内、前記干渉レベルが閾値よりも低いキャリア周波数の中からシステマティックビット配置用のキャリア周波数を選択し、前記システマティックビット配置用のキャリア周波数以外の中からパリティビット配置用のキャリア周波数を選択する周波数選択部と、前記干渉レベルが前記閾値未満のキャリア周波数、前記周波数選択部が選択した前記システマティックビット配置用のキャリア周波数および前記パリティビット配置用のキャリア周波数を示す周波数情報を制御局に送信し、前記制御局が割り当てた前記システマティックビット配置用のキャリア周波数およびパリティビット配置用のキャリア周波数を示す信号割当情報を前記制御局から受信する制御局通信部と、送信データに対してターボ符号化処理を行い、システマティックビットおよびパリティビットを出力するターボ符号化部と、ハンドオーバ時に、前記信号割当情報に基づいて、前記システマティックビット配置用のキャリア周波数に前記システマティックビットを配置し、前記パリティビット配置用のキャリア周波数に前記パリティビットを配置するキャリア配置部と、前記信号割当情報を含む制御信号を生成する制御信号生成部と、前記キャリア周波数に配置された前記システマティックビットおよび前記パリティビット、および、前記制御信号に対して直交周波数分割多重処理を行うことにより、前記ＯＦＤＭ信号を生成する直交周波数分割多重部と、前記移動局に前記ＯＦＤＭ信号を送信する送信部と、を具備する構成を採る。
【００１０】
本開示に係る通信システムは、他システムと共用する周波数帯域の一部のキャリア周波数を用いて移動局と基地局とが通信し、制御局が複数の基地局を制御する通信システムであって、前記基地局は、前記周波数帯域の干渉レベルに基づいて前記周波数帯域における前記他システムが使用していない空き周波数帯域を選択し、前記空き周波数帯域のキャリア周波数の内、前記干渉レベルが閾値よりも低いキャリア周波数の中からシステマティックビット配置用のキャリア周波数を選択し、前記システマティックビット配置用のキャリア周波数以外の中からパリティビット配置用のキャリア周波数を選択する周波数選択部と、前記干渉レベルが前記閾値未満のキャリア周波数、前記周波数選択部が選択した前記システマティックビット配置用のキャリア周波数および前記パリティビット配置用のキャリア周波数を示す周波数情報を前記制御局に送信し、前記制御局が割り当てた前記システマティックビット配置用のキャリア周波数およびパリティビット配置用のキャリア周波数を示す信号割当情報を前記制御局から受信する前記制御局通信部と、ハンドオーバ時に、前記信号割当情報を含む制御信号を生成する制御信号生成部と、前記移動局に前記制御信号を送信する送信部と、を具備し、前記制御局は、前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信する受信部と、前記第１周波数情報および前記第２周波数情報に基づいてシステマティックビット配置用のキャリア周波数およびパリティビット配置用のキャリア周波数を選択する周波数選択部と、前記システマティックビット配置用のキャリア周波数および前記パリティビット配置用のキャリア周波数を示す信号割当情報を生成する信号割当情報生成部と、前記第１基地局および前記第２基地局に前記信号割当情報を送信する送信部と、を具備し、前記移動局は、前記制御信号を受信する受信部と、送信データに対してターボ符号化処理を行い、システマティックビットおよびパリティビットを出力するターボ符号化部と、前記制御信号に含まれる前記信号割当情報に基づいて前記システマティックビット配置用のキャリア周波数に前記システマティックビットを配置し、前記パリティビット配置用のキャリア周波数に前記パリティビットを配置するキャリア配置部と、前記キャリア周波数に配置された前記システマティックビットおよび前記パリティビットに対して直交周波数分割多重処理を行うことにより、前記ＯＦＤＭ信号を生成する直交周波数分割多重部と、前記基地局に前記ＯＦＤＭ信号を送信する送信部と、を具備する、構成を採る。
【００１１】
本開示に係るハンドオーバ方法は、他システムと共用する周波数帯域の一部のキャリア周波数を用いて移動局と通信する複数の基地局を制御する制御局によるハンドオーバ方法であって、前記移動局と通信中の第１基地局から、空き周波数帯域の中で干渉レベルが閾値よりも低いキャリア周波数、システマティックビットを配置しているキャリア周波数およびパリティビットを配置しているキャリア周波数を示す第１周波数情報を受信し、ハンドオーバ先の第２基地局から空き周波数帯域のキャリア周波数の中で干渉レベルが前記閾値よりも低いキャリア周波数を示す第２周波数情報を受信するステップと、前記第１周波数情報および前記第２周波数情報に基づいてシステマティックビット配置用のキャリア周波数およびパリティビット配置用のキャリア周波数を選択するステップと、前記システマティックビット配置用のキャリア周波数および前記パリティビット配置用のキャリア周波数を示す信号割当情報を生成するステップと、前記第１基地局および前記第２基地局に前記信号割当情報を送信するステップと、を具備する。
【発明の効果】
【００１２】
本開示によれば、他システムと共用する周波数帯域の一部を用いるマルチキャリア通信に、ターボ符号およびハンドオーバを組み合わせる場合において、使用する周波数帯域の一部に干渉が存在する場合であっても、通信品質の劣化を抑制して通信品質を向上させることができる。
【図面の簡単な説明】
【００１３】
【図１】本発明の実施の形態１に係る通信システムの構成を示すブロック図
【図２】本発明の実施の形態１に係る基地局の構成を示すブロック図
【図３】本発明の実施の形態１に係る制御局の構成を示すブロック図
【図４】本発明の実施の形態１に係る信号割当情報のフォーマットを示す図
【図５】本発明の実施の形態１に係る移動局の構成を示すブロック図
【図６】本発明の実施の形態１に係るハンドオーバ元の基地局の動作を示すフロー図
【図７】本発明の実施の形態１に係る制御局の動作を示すフロー図
【図８】本発明の実施の形態１に係るサブバンドの割り当ての第１の具体例を示す図
【図９】本発明の実施の形態１に係るサブバンドの割り当ての第２の具体例を示す図
【図１０】本発明の実施の形態１に係るサブバンドの割り当ての第３の具体例を示す図
【図１１】本発明の実施の形態１に係るサブバンドの割り当ての第４の具体例を示す図
【図１２】本発明の実施の形態２に係る制御局の構成を示すブロック図
【図１３Ａ】本発明の実施の形態２に係る制御局の動作を示すフロー図
【図１３Ｂ】本発明の実施の形態２に係る制御局の動作を示すフロー図
【図１４】本発明の実施の形態２に係るサブバンドの割り当ての具体例を示す図
【図１５Ａ】本発明の実施の形態３に係るハンドオーバ元の基地局の動作を示すフロー図
【図１５Ｂ】本発明の実施の形態３に係るハンドオーバ元の基地局の動作を示すフロー図
【図１６Ａ】本発明の実施の形態３に係る制御局の動作を示すフロー図
【図１６Ｂ】本発明の実施の形態３に係る制御局の動作を示すフロー図
【発明を実施するための形態】
【００１４】
以下、図面を適宜参照して、本発明の実施の形態について、詳細に説明する。
【００１５】
（実施の形態１）
＜通信システムの構成＞
本発明の実施の形態１に係る通信システム１の構成について、図１を参照しながら、以下に詳細に説明する。図１に示すように、通信システム１は、複数の基地局１００と、制御局２００と、移動局３００と、から構成される。
【００１６】
各基地局１００は、制御局２００と有線又は無線により接続する。また、各基地局１００は、他システムと共用する周波数帯域の一部のサブバンドを用いて移動局３００と無線通信を行う。
【００１７】
移動局３００は、ターボ符号（システマティックビット、パリティビット）を通信相手の基地局に送信する。また、移動局３００は、制御局２００の指示に基づき、基地局１００間をハンドオーバする。ハンドオーバの種類には、切替前の通信インタフェースの接続を切断し、切替後の通信インタフェースでの接続を行うハードハンドオーバ、又は、切替後の通信インタフェースで接続をする一方で、ハンドオーバ中に切替前の通信インタフェースでの接続を維持するソフトハンドオーバがある。本発明は、ハードハンドオーバとソフトハンドオーバの両方の場合に適用することができる。
【００１８】
＜基地局の構成＞
本実施の形態に係る基地局１００の構成について、図２を参照しながら、以下に詳細に説明する。図２に示すように、基地局１００は、アンテナ１０１と、受信部１０２と、フーリエ変換部１０３と、復調部１０４と、ターボ復号部１０５と、レベル測定部１０６と、周波数選択部１０７と、制御局通信部１０８と、制御信号生成部１０９と、ターボ符号化部１１０と、キャリア配置部１１１と、変調部１１２と、フーリエ逆変換部１１３と、送信部１１４と、アンテナ１１５と、を有している。
【００１９】
受信部１０２は、アンテナ１０１を介して信号を受信し、受信信号に対して増幅、フィルタリング、ダウンコンバート等の無線受信処理を行い、無線受信処理した受信信号をフーリエ変換部１０３およびレベル測定部１０６に出力する。
【００２０】
フーリエ変換部１０３は、受信部１０２から出力された受信信号に対してフーリエ変換処理を行い、復調部１０４に出力する。
【００２１】
復調部１０４は、フーリエ変換部１０３から出力された信号を復調して復調データ（パリティビットおよびシステマティックビット）を取得し、ターボ復号部１０５に出力する。
【００２２】
ターボ復号部１０５は、復調部１０４から出力されたパリティビットおよびシステマティックビットを用いてターボ復号処理を行い、受信データを得る。ターボ復号部１０５は、受信データを制御局通信部１０８に出力する。
【００２３】
レベル測定部１０６は、受信部１０２から出力された受信信号の受信レベルを測定し、測定値を周波数選択部１０７に出力する。
【００２４】
周波数選択部１０７は、レベル測定部１０６から出力された受信レベルの測定値に基づいて、他システムが使用していない帯域を選択する。ここで、選択される帯域は、他システムと共用する周波数帯域であって、他システムが使用していない空き周波数帯域である。そして、周波数選択部１０７は、選択した帯域、および、当該帯域の受信レベルを示す受信品質情報を制御局通信部１０８に出力する。
【００２５】
また、周波数選択部１０７は、選択した帯域の各サブバンド（キャリア周波数）について、レベル測定部１０６から入力した受信レベルの測定値と所定値（閾値）との大小関係を比較し、受信レベルの測定値が所定値よりも低い干渉の少ないサブバンドを選択する。
【００２６】
さらに、基地局１００が移動局３００と通信中（ハンドオーバ元）である場合、受信レベルの測定値が所定値よりも低いサブバンドの中からシステマティックビットを配置するもの（システマティックビット配置用サブバンド）を選択すると共に、システマティックビット配置用サブバンド以外のサブバンドの中からパリティビットを配置するもの（パリティビット配置用サブバンド）を選択する。
【００２７】
そして、基地局１００が移動局３００と通信中である場合、周波数選択部１０７は、干渉レベルが所定値よりも低いサブバンド、システマティックビット配置用サブバンドおよびパリティビット配置用サブバンドを示す周波数情報（第１周波数情報）を制御局通信部１０８に出力する。また、基地局１００がハンドオーバ先である場合、周波数選択部１０７は、干渉レベルが所定値よりも低いサブバンドを示す周波数情報（第２周波数情報）を制御局通信部１０８に出力する。
【００２８】
制御局通信部１０８は、ターボ復号部１０５から出力された受信データを制御局２００に送信し、制御局２００から送信されたデータをターボ符号化部１１０に出力する。
【００２９】
また、制御局通信部１０８は、周波数選択部１０７から出力された受信品質情報を制御局２００に送信する。そして、制御局通信部１０８は、受信品質情報を送信した後、制御局２００より、周波数情報の送信を指示する指示信号を受信すると、周波数情報を制御局２００に送信する。そして、制御局通信部１０８は、周波数情報を送信した後、制御局２００より、システマティックビット配置用サブバンドおよびパリティビット配置用サブバンドを示す信号割当情報を受信した場合（ハンドオーバ時）、当該信号割当情報を制御信号生成部１０９及びキャリア配置部１１１に出力する。
【００３０】
一方、制御局通信部１０８は、信号割当情報を制御局２００から受信しなかった場合（非ハンドオーバ時）、制御局通信部１０８は、周波数情報（第１周波数情報）を信号割当情報として制御信号生成部１０９及びキャリア配置部１１１に出力する。
【００３１】
制御信号生成部１０９は、制御局通信部１０８から出力された信号割当情報を含む制御信号を生成してフーリエ逆変換部１１３に出力する。
【００３２】
ターボ符号化部１１０は、制御局通信部１０８から出力された送信データをターボ符号化処理してパリティビットおよびシステマティックビットを生成し、キャリア配置部１１１に出力する。
【００３３】
キャリア配置部１１１は、制御局通信部１０８から出力された信号割当情報に基づいて、システマティックビットおよびパリティビットを各サブバンドに割り当て、変調部１１２に出力する。
【００３４】
変調部１１２は、キャリア配置部１１１から出力されたシステマティックビットおよびパリティビットを変調し、変調信号をフーリエ逆変換部１１３に出力する。
【００３５】
直交周波数分割多重部であるフーリエ逆変換部１１３は、制御信号生成部１０９から出力された制御信号および変調部１１２から出力された変調信号に対して、直交周波数分割多重処理であるフーリエ逆変換処理を行うことによりＯＦＤＭ信号を生成して送信部１１４に出力する。
【００３６】
送信部１１４は、フーリエ逆変換部１１３から出力されたＯＦＤＭ信号に対して増幅、フィルタリング、アップコンバート等の無線送信処理を行い、アンテナ１１５より送信する。
【００３７】
＜制御局の構成＞
次に、本実施の形態に係る制御局２００の構成について、図３を参照しながら、以下に詳細に説明する。図３に示すように、制御局２００は、受信部２０１と、ハンドオーバ制御部２０２と、指示信号生成部２０３と、周波数選択部２０４と、信号割当情報生成部２０５と、送信部２０６と、を有している。
【００３８】
受信部２０１は、各基地局１００より受信した信号の内、受信データを上位局（図示せず）に出力し、受信品質情報をハンドオーバ制御部２０２に出力し、周波数情報を周波数選択部２０４に出力する。
【００３９】
ハンドオーバ制御部２０２は、受信部２０１から出力された各基地局１００の受信品質情報に基づいて、ハンドオーバの要否を決定し、ハンドオーバが必要な場合にハンドオーバ先の基地局１００を選択し、選択結果を示す信号を指示信号生成部２０３及び周波数選択部２０４に出力する。
【００４０】
指示信号生成部２０３は、ハンドオーバ制御部２０２から出力された選択結果を参照し、ハンドオーバ元（第１基地局）の基地局１００及びハンドオーバ先（第２基地局）の基地局１００に対して周波数情報の送信を指示する指示信号を生成して送信部２０６に出力する。
【００４１】
周波数選択部２０４は、ハンドオーバ制御部２０２から出力された選択結果を参照し、受信部２０１から出力されたハンドオーバ元の基地局１００及びハンドオーバ先の基地局１００の周波数情報に基づいて、システマティックビット配置用サブバンド及びパリティビット配置用サブバンドを選択し、選択結果を示す信号を信号割当情報生成部２０５に出力する。なお、周波数選択部２０４における選択処理の具体例については後述する。
【００４２】
信号割当情報生成部２０５は、周波数選択部２０４が選択したシステマティックビット配置用サブバンドおよびパリティビット配置用サブバンドを示す信号割当情報を生成して送信部２０６に出力する。
【００４３】
送信部２０６は、移動局３００と通信中の基地局１００に送信データを送信する。また、送信部２０６は、指示信号生成部２０３から出力された周波数情報の送信を指示する指示信号をハンドオーバ元及びハンドオーバ先の基地局１００に送信する。また、送信部２０６は、信号割当情報生成部２０５から出力された信号割当情報をハンドオーバ先及びハンドオーバ元の基地局１００に送信する。
【００４４】
信号割当情報は、図４に示すように、帯域を分割するサブバンド数を示す帯域分割数情報Ｋ１と、割り当てられた信号がシステマティックビットであるのかパリティビットであるのかのサブバンド毎の信号の種別を示す信号種別情報Ｋ２と、を含んでいる。この信号割当情報は、常時、基地局１００から移動局３００に通知させるようにしてもよいし、移動局３００がセル境界付近に存在する場合のみ、制御局２００が、基地局１００に指示を出して通知させるようにしてもよい。ただし、制御局２００と基地局１００の間の制御信号量の削減という観点では、移動局３００がセル境界付近に存在する場合のみ通知する方が望ましい。
【００４５】
また、本発明は、複数の周波数を同時に使用して複数ストリームのデータを伝送する場合においても適用することができる。この場合、周波数間で割り当てるストリームを入れ替えるようにするため、各サブバンドに割り当てられた信号が元々どの周波数に割り当てられていたかを示す情報（信号所属情報）を、図４の信号割当情報に含ませるようにするとよい。
【００４６】
＜移動局の構成＞
本実施の形態に係る移動局３００の構成について、図５を参照しながら、以下に詳細に説明する。
【００４７】
移動局３００は、アンテナ３０１と、受信部３０２と、フーリエ変換部３０３と、復調部３０４と、ターボ復号部３０５と、制御信号抽出部３０６と、ターボ符号化部３０７と、キャリア配置部３０８と、変調部３０９と、フーリエ逆変換部３１０と、送信部３１１と、アンテナ３１２と、を有している。
【００４８】
受信部３０２は、アンテナ３０１を介して信号を受信し、受信信号に対して増幅、フィルタリング、ダウンコンバート等の増幅処理等の無線受信処理を行い、無線受信処理した受信信号をフーリエ変換部３０３に出力する。
【００４９】
フーリエ変換部３０３は、受信部３０２から出力された受信信号に対してフーリエ変換処理を行い、復調部３０４に出力する。
【００５０】
復調部３０４は、フーリエ変換部３０３から出力された信号を復調して制御信号及び復調データ（パリティビットおよびシステマティックビット）を取得する。復調部３０４は、パリティビットおよびシステマティックビットをターボ復号部３０５に出力し、制御信号を制御信号抽出部３０６に出力する。
【００５１】
ターボ復号部３０５は、復調部３０４から出力されたパリティビットおよびシステマティックビットを用いてターボ復号処理を行い、受信データを得る。
【００５２】
制御信号抽出部３０６は、復調部３０４から出力された制御信号に含まれている信号割当情報を抽出し、キャリア配置部３０８に出力する。
【００５３】
ターボ符号化部３０７は、送信データをターボ符号化処理してパリティビットおよびシステマティックビットを生成し、キャリア配置部３０８に出力する。
【００５４】
キャリア配置部３０８は、制御信号抽出部３０６から入力した信号割当情報に基づいて、システマティックビットおよびパリティビットを各サブバンドに配置して変調部３０９に出力する。
【００５５】
変調部３０９は、キャリア配置部３０８から出力されたシステマティックビットおよびパリティビットを変調し、変調信号をフーリエ逆変換部３１０に出力する。
【００５６】
直交周波数分割多重部であるフーリエ逆変換部３１０は、変調部３０９から出力された変調信号に対して、直交周波数分割多重処理であるフーリエ逆変換処理を行うことによりＯＦＤＭ信号を生成して送信部３１１に出力する。
【００５７】
送信部３１１は、フーリエ逆変換部３１０から出力されたＯＦＤＭ信号に対して増幅、フィルタリング、アップコンバート等の無線送信処理を行い、アンテナ３１２より送信する。
【００５８】
＜移動局と通信中の基地局の動作＞
本実施の形態に係る移動局３００と通信中の基地局１００の動作について、図６を参照しながら、以下に詳細に説明する。移動局３００と通信中の基地局１００は、ハンドオーバ元の基地局となる。
【００５９】
まず、レベル測定部１０６は、各帯域の複数のサブバンドの各々について受信レベル（干渉レベル）を測定する。周波数選択部１０７は、レベル測定部１０６から出力された受信レベルの測定値に基づいて、他システムが使用していない帯域を選択する（Ｓ１）。
【００６０】
次に、周波数選択部１０７は、選択した帯域のサブバンドｉ（ｉは１からｎまでのいずれかの整数（ｎは２以上の整数））について、受信レベルが所定値（閾値）より低いか否かを判定する（Ｓ２）。
【００６１】
周波数選択部１０７は、サブバンドｉの受信レベルが所定値より低い場合（Ｓ２：ＹＥＳ）、サブバンドｉに対してシステマティックビットを選択する（Ｓ３）。
【００６２】
一方、周波数選択部１０７は、サブバンドｉの受信レベルが所定値以上の場合（Ｓ２：ＮＯ）、サブバンドｉに対してパリティビットを選択する（Ｓ４）。
【００６３】
次に、周波数選択部１０７は、システマティックビットの選択が終了したか否かを判定する（Ｓ５）。
【００６４】
周波数選択部１０７は、システマティックビットの選択が終了していない場合（Ｓ５：ＮＯ）、フローをＳ２に戻す。
【００６５】
一方、周波数選択部１０７は、システマティックビットの選択が終了した場合（Ｓ５：ＹＥＳ）、未だ選択されていない残りのサブバンドｉに対してパリティビットを選択する（Ｓ６）。
【００６６】
Ｓ６の後、周波数選択部１０７は、システマティックビット配置用サブバンドおよびパリティビット配置用サブバンドを示す周波数情報（第１周波数情報）を制御局通信部１０８に出力する。
【００６７】
制御局通信部１０８は、制御局２００より指示信号を受信した場合（Ｓ７：ＹＥＳ）、周波数情報（第１周波数情報）を制御局２００に送信する（Ｓ８）。
【００６８】
次に、制御局通信部１０８は、信号割当情報を制御局２００より受信する（Ｓ９）。
【００６９】
なお、制御局通信部１０８は、制御局２００より指示信号を受信しなかった場合（Ｓ７：ＮＯ）、周波数情報を信号割当情報とし、フローをＳ１０に進める。
【００７０】
次に、キャリア配置部１１１は、ターボ符号化部１１０からシステマティックビットが入力したか否かを判定する（Ｓ１０）。
【００７１】
キャリア配置部１１１は、システマティックビットを入力した場合（Ｓ１０：ＹＥＳ）、信号割当情報に示されたシステマティックビット配置用サブバンドにシステマティックビットを配置する（Ｓ１１）。
【００７２】
一方、キャリア配置部１１１は、パリティビットを入力した場合（Ｓ１０：ＮＯ）、信号割当情報に示されたパリティビット配置用サブバンドにパリティビットを配置する（Ｓ１２）。
【００７３】
次に、キャリア配置部１１１は、全てのサブバンドに対して配置を終了したか否かを判定する（Ｓ１３）。
【００７４】
キャリア配置部１１１は、配置を終了していない場合（Ｓ１３：ＮＯ）、フローをＳ１０に戻す。
【００７５】
一方、キャリア配置部１１１は、配置を終了した場合（Ｓ１３：ＹＥＳ）、フローをＳ１４に進める。
【００７６】
制御信号生成部１０９は、信号割当情報を含む制御信号を生成する（Ｓ１４）。
【００７７】
そして、基地局１００は、ＯＦＤＭ信号及び制御信号を移動局３００に送信する。
【００７８】
その後、基地局１００は、制御信号を受信した移動局３００との間でハンドオーバ処理を行う。
【００７９】
＜制御局の動作＞
本実施の形態に係る制御局２００の動作について、図７を参照しながら、以下に詳細に説明する。
【００８０】
まず、ハンドオーバ制御部２０２は、受信部２０１を介して各基地局１００から取得した受信品質情報に基づいて、各基地局１００のセル内の移動局３００がセル境界付近に存在するか否かを判定する（Ｓ２１）。
【００８１】
制御局２００は、各基地局１００のセル内の移動局３００がセル境界付近に存在しない場合（Ｓ２１：ＮＯ）、動作を終了する。
【００８２】
一方、各基地局１００のセル内の移動局３００がセル境界付近に存在する場合（Ｓ２１：ＹＥＳ）、制御局２００は、移動局３００と通信中の基地局１００、及び、ハンドオーバ先の基地局１００に指示信号を送信する（Ｓ２２）。ここで、移動局３００がセル境界付近に存在するか否かは、受信電力情報や移動局３００の位置情報（例えば、ＧＰＳ等で検出した位置）により判定することができる。
【００８３】
次に、受信部２０１は、ハンドオーバ元の基地局１００及びハンドオーバ先の基地局１００より周波数情報を受信する（Ｓ２３）。
【００８４】
次に、周波数選択部２０４は、選択した両方の基地局１００の周波数情報を参照し、両方の基地局１００において適したサブバンドが有るか否かを判定する（Ｓ２４）。ここで、両方の基地局１００において適したサブバンドとは、ハンドオーバ元の基地局１００のシステマティックビット配置用サブバンドであって、ハンドオーバ先の基地局１００において干渉レベルが所定値よりも低いサブバンド（以下、「条件１を満たすサブバンド」という）、又は、両方の基地局１００において干渉レベルが所定値よりも低いサブバンド（以下、「条件２を満たすサブバンド」という）である。
【００８５】
両方の基地局１００において適したサブバンドが有る場合（Ｓ２４：ＹＥＳ）、周波数選択部２０４は、当該サブバンドにシステマティックビットを割り当てる（Ｓ２５）。この際、周波数選択部２０４は、条件２を満たすサブバンドよりも条件１を満たすサブバンドに優先的にシステマティックビットを割り当てる。
【００８６】
次に、周波数選択部２０４は、サブバンドに未だ割り当てられていない残システマティックビットが有るか否かを判定する（Ｓ２６）。
【００８７】
周波数選択部２０４は、残システマティックビットが有る場合（Ｓ２６：ＹＥＳ）、ハンドオーバ元の基地局１００の周波数情報を参照して、ハンドオーバ元の基地局１００でシステマティックビットを配置したサブバンドにシステマティックビットを割り当てる（Ｓ２７）。
【００８８】
一方、周波数選択部２０４は、残システマティックビットが無い場合（Ｓ２６：ＮＯ）、フローをＳ２８に進める。
【００８９】
次に、周波数選択部２０４は、システマティックビットを割り当てていない残りのサブバンドにパリティビットを割り当て（Ｓ２８）、フローをＳ３３に進める。
【００９０】
両方の基地局１００において適したサブバンドが無い場合（Ｓ２４：ＮＯ）、周波数選択部２０４は、両方の基地局１００の周波数情報を参照して、各サブバンドの干渉レベルが第２所定値（第２所定値＞所定値）未満であるか否かをサブバンド毎に判定する（Ｓ２９）。
【００９１】
次に、周波数選択部２０４は、全てのサブバンドの干渉レベルが第２所定値未満の場合（Ｓ２９：ＹＥＳ）、フローをＳ２７に進める。
【００９２】
一方、周波数選択部２０４は、干渉レベルが第２所定値以上のサブバンドが有る場合（Ｓ２９：ＮＯ）、当該サブバンドについて無送信を選択する（Ｓ３０）。
【００９３】
次に、周波数選択部２０４は、ハンドオーバ元の基地局１００の周波数情報を参照して、無送信を選択したサブバンドを除く、ハンドオーバ元の基地局１００でシステマティックビットを配置したサブバンドにシステマティックビットを割り当てる（Ｓ３１）。
【００９４】
次に、周波数選択部２０４は、無送信を選択したサブバンドを除く、システマティックビットを割り当てていない残りのサブバンドにパリティビットを割り当てる（Ｓ３２）。
【００９５】
次に、信号割当情報生成部２０５は、信号割当情報を生成する（Ｓ３３）。
【００９６】
次に、送信部２０６は、ハンドオーバ元の基地局１００及びハンドオーバ先の基地局１００に信号割当情報を送信する（Ｓ３４）。
【００９７】
＜周波数選択部における選択処理の具体例＞
次に、周波数選択部２０４における選択処理の具体例について、図８〜図１１を用いて説明する。
【００９８】
図８は、両方の基地局１００において干渉レベルが所定値未満のサブバンドの数が、システマティックビットを割り当てるのに必要な数（図８では「２」）以上である場合の例を示す。図８（ａ）は、現在（ハンドオーバ開始前）のハンドオーバ元の基地局１００の周波数情報（第１周波数情報）を示し、図８（ｂ）は、ハンドオーバ先の基地局１００の周波数情報（第２周波数情報）を示す。図８（ｃ）は、ハンドオーバ開始時の周波数情報の割り当てを示す。
【００９９】
図８（ａ）では、サブバンド３の干渉レベルのみが所定値以上であり、図８（ｂ）では、サブバンド２の干渉レベルのみが所定値以上であるものとする。この場合、周波数選択部２０４は、両方の基地局１００において適したサブバンドとして、条件１を満たすサブバンドであるサブバンド１、及び、条件２を満たすサブバンドであるサブバンド４を選択する。そして、周波数選択部２０４は、図８（ｃ）に示すように、選択したサブバンド１及びサブバンド４にシステマティックビットを割り当てる。そして、周波数選択部２０４は、システマティックビットを割り当てていない残りのサブバンド２、３にパリティビットを割り当てる。
【０１００】
この場合、ハンドオーバ時に、システマティックビットを、常に、ハンドオーバ元の基地局１００及びハンドオーバ先の基地局１００の両方において、干渉レベルが所定値未満のサブバンドに割り当てることができるので、通信品質の劣化を抑制することができる。
【０１０１】
図９は、両方の基地局１００において干渉レベルが所定値未満のサブバンドの数がシステマティックビットを割り当てるのに必要な数（図９では「２」）未満である場合の例を示す。図９（ａ）は、現在（ハンドオーバ開始前）のハンドオーバ元の基地局１００の周波数情報（第１周波数情報）を示し、図９（ｂ）は、ハンドオーバ先の基地局１００の周波数情報（第２周波数情報）を示す。図９（ｃ）は、ハンドオーバ開始時の周波数情報の割り当てを示す。
【０１０２】
図９（ａ）では、サブバンド３の干渉レベルが所定値以上であり、図９（ｂ）では、サブバンド２、４の干渉レベルが所定値以上であるものとする。この場合、周波数選択部２０４は、まず、両方の基地局１００において適したサブバンドとして、条件１を満たすサブバンドであるサブバンド１を選択する。そして、周波数選択部２０４は、図９（ｃ）に示すように、選択したサブバンド１にシステマティックビットを割り当てる。
【０１０３】
図９の場合、サブンバンド１以外に適したサブバンドが無く、残システマティックビットが有るので、周波数選択部２０４は、図９（ｃ）に示すように、ハンドオーバ元の基地局１００でシステマティックビットを配置したサブバンド２に残システマティックビットを割り当てる。そして、周波数選択部２０４は、システマティックビットを割り当てていない残りのサブバンド３、４にパリティビットを割り当てる。
【０１０４】
この場合、ハンドオーバ時に、一部のシステマティックビットを、干渉レベルが所定値未満のサブバンドに割り当て、残りのシステマティックビットの配置を、ハンドオーバ前から変更しないので、通信品質の劣化を抑制することができると供に、配置を変更する処理を少なくすることができ、処理負荷を軽減することができる。
【０１０５】
図１０は、両方の基地局１００において干渉レベルが所定値未満のサブバンドが無い場合の例を示す。図１０（ａ）は、現在（ハンドオーバ開始前）のハンドオーバ元の基地局１００の周波数情報（第１周波数情報）を示し、図１０（ｂ）は、ハンドオーバ先の基地局１００の周波数情報（第２周波数情報）を示す。図１０（ｃ）は、ハンドオーバ開始時の周波数情報の割り当てを示す。
【０１０６】
図１０（ａ）では、サブバンド１、３の干渉レベルが所定値以上であり、図１０（ｂ）では、サブバンド２、４の干渉レベルが所定値以上であるものとする。この場合、周波数選択部２０４は、図１０（ｃ）に示すように、ハンドオーバ元の基地局１００でシステマティックビットを配置したサブバンド２、４にシステマティックビットを割り当てる。そして、周波数選択部２０４は、システマティックビットを割り当てていない残りのサブバンド１、３にパリティビットを割り当てる。
【０１０７】
この場合、ハンドオーバ時に、全てのシステマティックビットの配置を、ハンドオーバ前から変更しないので、配置を変更する処理を少なくすることができ、処理負荷を軽減することができる。
【０１０８】
図１１は、両方の基地局１００において干渉レベルが所定値未満のサブバンドが無く、しかも、干渉レベルが第２所定値以上のサブバンドが存在する場合の例を示す。図１１（ａ）は、現在（ハンドオーバ開始前）のハンドオーバ元の基地局１００の周波数情報（第１周波数情報）を示し、図１１（ｂ）は、ハンドオーバ先の基地局１００の周波数情報（第２周波数情報）を示す。図１１（ｃ）は、ハンドオーバ開始時の周波数情報の割り当てを示す。
【０１０９】
図１１（ａ）では、サブバンド１、３の干渉レベルが所定値以上であり、図１１（ｂ）では、サブバンド１、２、４の干渉レベルが所定値以上であり、さらに、サブバンド１の干渉レベルが第２所定値以上であるものとする。この場合、周波数選択部２０４は、図１１（ｃ）に示すように、干渉レベルが第２所定値以上のサブバンド１について無送信（システマティックビットおよびパリティビットのいずれも配置しないこと）を選択する。そして、周波数選択部２０４は、図１１（ｃ）に示すように、サブバンド１以外の、ハンドオーバ元の基地局１００でシステマティックビットを配置したサブバンド２にシステマティックビットを割り当て、残りのサブバンド３、４にパリティビットを割り当てる。
【０１１０】
この場合、システマティックビットを配置するサブバンドの数を減らすことに伴い、基地局１００は、送信データの伝送レートを下げる、あるいは、送信電力を上げる。これにより、通信品質の劣化を抑制することができる。
【０１１１】
＜効果＞
このように、本実施の形態によれば、移動局と通信中の基地局１００及びハンドオーバ先の基地局１００から受信した、空き周波数帯域のキャリア周波数の中で干渉レベルが閾値よりも低いキャリア周波数を示す周波数情報に基づいてシステマティックビット配置用のキャリア周波数およびパリティビット配置用のキャリア周波数を選択する。これにより、他システムと共用する周波数帯域の一部を用いるマルチキャリア通信に、ターボ符号化方式およびハンドオーバを組み合わせる場合において、使用する周波数帯域の一部に干渉が存在する場合であっても、通信品質の劣化を抑制して通信品質を向上させることができる。
【０１１２】
また、本実施の形態によれば、ハンドオーバ元の基地局及びハンドオーバ先の基地局の両方において干渉レベルが閾値よりも低いキャリア周波数の数が、システマティックビットを割り当てるのに必要な数に満たない場合等に、ハンドオーバ元の基地局が配置しているキャリア周波数にシステマティックビットを優先的に割り当てることにより、ハンドオーバ元の基地局において、配置を変更する処理を極力少なくすることができ、処理負荷を軽減することができると共に、システマティックビットの配置を、ハンドオーバ前から極力変更しないので、通信品質の劣化を抑制することができる。
【０１１３】
本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【０１１４】
なお、上記の実施の形態では、基地局１００と移動局３００の双方がそれぞれデータ（ＯＦＤＭ信号）を送信する場合について説明したが、本発明はこれに限られず、下り回線では、基地局が、移動局にデータを送信せず、制御信号のみを送信し、上り回線において、移動局が基地局にデータを送信する場合にも適用することができる。
【０１１５】
（実施の形態２）
実施の形態２では、制御局が、システマティックビット配置用サブバンド及びパリティビット配置用サブバンドを選択する際に、ハンドオーバの頻度も考慮する場合について説明する。
【０１１６】
なお、実施の形態２において、通信システムの構成、基地局の構成、移動局の構成、および、移動局と通信中の基地局の動作については、実施の形態１で説明した内容と同一であるので、説明を省略する。
【０１１７】
＜制御局の構成＞
次に、本実施の形態に係る制御局２００ａの構成について、図１２を参照しながら、以下に詳細に説明する。なお、図１２に示す制御局２００ａにおいて、図３に示した制御局２００と共通する構成部分には、図３と同一符号を付してその詳しい説明を省略する。図１２に示す制御局２００ａは、図３に示した制御局２００と比較して頻度判定部２１１を追加した構成を採る。
【０１１８】
ハンドオーバ制御部２０２は、実施の形態１で説明した機能に加え、ハンドオーバが必要と判断した場合に、ハンドオーバ元の基地局１００、ハンドオーバ先の基地局１００およびハンドオーバを実行することを知らせる信号を頻度判定部２１１に出力する。
【０１１９】
頻度判定部２１１は、ハンドオーバ制御部２０２からハンドオーバ元の基地局１００とハンドオーバ先の基地局１００との間で行われたハンドオーバの頻度（前回行われたハンドオーバから今回行うハンドオーバまでの時間、所定時間内に行われたハンドオーバの回数等）を算出する。そして、頻度判定部２１１は、当該ハンドオーバの頻度が基準頻度以上か否かを判定し、判定結果を周波数選択部２０４に出力する。
【０１２０】
周波数選択部２０４は、受信部２０１から出力されたハンドオーバ元の基地局１００及びハンドオーバ先の基地局１００の周波数情報、および、頻度判定部２１１の判定結果に基づいて、システマティックビット配置用サブバンド及びパリティビット配置用サブバンドを選択し、選択結果を示す信号を信号割当情報生成部２０５に出力する。なお、周波数選択部２０４における選択処理の具体例については後述する。
【０１２１】
＜制御局の動作＞
本実施の形態に係る制御局２００ａの動作について、図１３Ａ、図１３Ｂを参照しながら、以下に詳細に説明する。なお、図１３Ａ、図１３Ｂのフローにおいて、図７に示したフローと共通するステップには、図７と同一符号を付してその詳しい説明を省略する。図１３Ａ、図１３Ｂに示すフローには、図７に示したフローにステップＳ４１、Ｓ４２、Ｓ４３、Ｓ４４が追加される。
【０１２２】
ステップＳ２６の判定結果が「ＹＥＳ」のとき、あるいは、ステップＳ２９の判定結果が「ＹＥＳ」のとき、周波数選択部２０４は、頻度判定部２１１の判定結果が、ハンドオーバの頻度が基準頻度以上か否かを判定する（Ｓ４１）。
【０１２３】
ハンドオーバの頻度が基準頻度未満のとき（Ｓ４１：ＮＯ）、フローはステップＳ２７に進む。一方、ハンドオーバの頻度が基準頻度以上のとき（Ｓ４１：ＹＥＳ）、周波数選択部２０４は、ハンドオーバ元の基地局１００とハンドオーバ先の基地局１００の周波数情報を参照して、ハンドオーバ元の基地局１００でシステマティックビットを配置したサブバンドとハンドオーバ先の基地局１００に適したサブバンドにシステマティックビットを交互に割り当てる（Ｓ４２）。ステップＳ４２の後、フローはステップＳ２８に進む。
【０１２４】
ステップＳ３０の後、周波数選択部２０４は、頻度判定部２１１の判定結果が、ハンドオーバの頻度が基準頻度以上か否かを判定する（Ｓ４３）。
【０１２５】
ハンドオーバの頻度が基準頻度未満のとき（Ｓ４３：ＮＯ）、フローはステップＳ３１に進む。一方、ハンドオーバの頻度が基準頻度以上のとき（Ｓ４３：ＹＥＳ）、周波数選択部２０４は、ハンドオーバ元の基地局１００とハンドオーバ先の基地局１００の周波数情報を参照して、無送信を選択したサブバンドを除く、ハンドオーバ元の基地局１００でシステマティックビットを配置したサブバンドとハンドオーバ先の基地局１００に適したサブバンドにシステマティックビットを交互に割り当てる（Ｓ４４）。ステップＳ４４の後、フローはステップＳ３２に進む。
【０１２６】
＜周波数選択部における選択処理の具体例＞
次に、周波数選択部２０４における選択処理の具体例について、図１４を用いて説明する。
【０１２７】
図１４は、両方の基地局１００において干渉レベルが所定値未満のサブバンドが無い場合の例を示す。図１４（ａ）は、現在（ハンドオーバ開始前）のハンドオーバ元の基地局１００の周波数情報（第１周波数情報）を示し、図１４（ｂ）は、ハンドオーバ先の基地局１００の周波数情報（第２周波数情報）を示す。図１４（ｃ）は、ハンドオーバの頻度が基準頻度未満のときのハンドオーバ開始時の周波数情報の割り当てを示し、図１４（ｄ）は、ハンドオーバの頻度が基準頻度以上のときのハンドオーバ開始時の周波数情報の割り当てを示す。
【０１２８】
図１４（ａ）では、図１０（ａ）と同様に、サブバンド１、３の干渉レベルが所定値以上であり、図１４（ｂ）では、図１０（ｂ）と同様に、サブバンド２、４の干渉レベルが所定値以上であるものとする。
【０１２９】
この場合において、ハンドオーバの頻度が基準頻度未満のときには、周波数選択部２０４は、図１４（ｃ）に示すように（図１０（ｃ）と同様に）、ハンドオーバ元の基地局１００でシステマティックビットを配置したサブバンド２、４にシステマティックビットを割り当てる。そして、周波数選択部２０４は、システマティックビットを割り当てていない残りのサブバンド１、３にパリティビットを割り当てる。
【０１３０】
一方、ハンドオーバの頻度が基準頻度以上のときには、周波数選択部２０４は、図１４（ｄ）に示すように、ハンドオーバ元の基地局１００でシステマティックビットを配置したサブバンド２と、ハンドオーバ先の基地局１００において干渉レベルが所定値未満のサブバンド３とにシステマティックビットを割り当てる。そして、周波数選択部２０４は、システマティックビットを割り当てていない残りのサブバンド１、４にパリティビットを割り当てる。
【０１３１】
なお、ハンドオーバ元の基地局１００とハンドオーバ先の基地局１００の両方において最適なサブバンドが存在する場合は、まず両方の基地局１００に最適なサブバンドにシステマティックビットを割り当て、なおシステマティックビットが残っている場合には本実施の形態２に記載した動作を行うようにしても良い。
【０１３２】
＜効果＞
このように、本実施の形態によれば、ハンドオーバの頻度が基準頻度以上のときには、ハンドオーバ元の基地局１００でシステマティックビットを配置したサブバンドとハンドオーバ先の基地局１００に適したサブバンドにシステマティックビットを交互に割り当てる。これにより、ハンドオーバ契機の信号配置変更が発生しないため、隣接セル間で頻繁にハンドオーバを行う場合であっても制御信号量は増加しない。また、ハンドオーバ直度に伝送品質が劣化する頻度を低減することができる。
【０１３３】
（実施の形態３）
上記の実施の形態では、制御局２００が、基地局１００から周波数情報を受信するために、都度、基地局１００に指示信号を送信する場合について説明した。これに対し、実施の形態３では、制御局２００が、基地局１００に指示信号を一度送信すれば、該基地局１００から継続的に周波数情報を受信できる場合について説明する。
【０１３４】
＜移動局と通信中の基地局の動作＞
本実施の形態に係る基地局１００の動作について、図１５Ａ、図１５Ｂを参照しながら、以下に詳細に説明する。なお、図１５Ａ、図１５Ｂのフローにおいて、図６に示したフローと共通するステップには、図６と同一符号を付してその詳しい説明を省略する。図１５Ａ、図１５Ｂに示すフローには、図６に示したフローにステップＳ５１、Ｓ５２、Ｓ５３、Ｓ５４、Ｓ５５、Ｓ５６が追加される。なお、図１５Ａ、図１５Ｂの中の「Ｆ」はフラグを意味する。「Ｆ＝０」は、基地局１００が指示信号を受信していない状態、および、周波数情報の送信が不要となった旨を通知する不要通知信号を受信して指示信号を受信していない状態に戻った状態を示す。「Ｆ＝１」は、基地局１００が指示信号を受信した後の状態を示す。
【０１３５】
初回の帯域選択では（Ｓ５１：ＹＥＳ）、制御局通信部１０８は、フラグＦを「０」に設定する（Ｓ５２）。２回目以降の帯域選択では（Ｓ５１：ＮＯ）、前回設定されたフラグＦの値が維持される。この状態で、フローは、ステップＳ１に進む。
【０１３６】
Ｓ６の後、「Ｆ＝０」（指示信号を受信していない状態）であれば（Ｓ５３：ＹＥＳ）、図６と同様に、フローはステップＳ７に進み、制御局通信部１０８は、制御局２００より指示信号を受信した場合（Ｓ７：ＹＥＳ）、フラグＦを「１」に設定し（Ｓ５４）、周波数情報（第１周波数情報）を制御局２００に送信する（Ｓ８）。
【０１３７】
一方、Ｓ６の後、「Ｆ＝１」（指示信号を受信した後の状態）であれば（Ｓ５３：ＮＯ）、制御局２００より不要通知信号を受信しなければ（Ｓ５５：ＮＯ）、フローはステップＳ８に進み、制御局通信部１０８は、周波数情報（第１周波数情報）を制御局２００に送信する（Ｓ８）。なお、制御局通信部１０８は、制御局２００より不要通知信号を受信すれば（Ｓ５５：ＹＥＳ）、フラグＦを「０」に設定し（Ｓ５６）、周波数情報（第１周波数情報）を制御局２００に送信しない。この場合、フローは、ステップＳ１０に進む。
【０１３８】
＜制御局の動作＞
本実施の形態に係る制御局２００の動作について、図１６Ａ、図１６Ｂを参照しながら、以下に詳細に説明する。なお、図１６Ａ、図１６Ｂのフローにおいて、図７に示したフローと共通するステップには、図７と同一符号を付してその詳しい説明を省略する。図１６Ａ、図１６Ｂに示すフローには、図７に示したフローにステップＳ６１、Ｓ６２、Ｓ６３、Ｓ６４、Ｓ６５、Ｓ６６、Ｓ６７が追加される。なお、図１６Ａ、図１６Ｂの中の「Ｆ」はフラグを意味する。「Ｆ＝０」は、制御局２００が指示信号を送信していない状態、および、不要通知信号を送信して指示信号を送信していない状態に戻った状態を示す。「Ｆ＝１」は、制御局２００が指示信号を送信した後の状態を示す。
【０１３９】
初回の帯域選択では（Ｓ６１：ＹＥＳ）、制御局２００は、フラグＦを「０」に設定する（Ｓ６２）。２回目以降の帯域選択では（Ｓ６１：ＮＯ）、前回設定されたフラグＦの値が維持される。この状態で、フローは、ステップＳ２１に進む。
【０１４０】
各基地局１００のセル内の移動局３００がセル境界付近に存在する場合（Ｓ２１：ＹＥＳ）、「Ｆ＝０」（指示信号を送信していない状態）であれば（Ｓ６３：ＹＥＳ）、図７と同様に、フローはステップＳ２２に進み、制御局２００は、移動局３００と通信中の基地局１００、及び、ハンドオーバ先の基地局１００に指示信号を送信し（Ｓ２２）、フラグＦを「１」に設定し（Ｓ６４）、周波数情報を基地局１００から受信する（Ｓ２３）。
【０１４１】
一方、「Ｆ＝１」（指示信号を送信した後の状態）であれば（Ｓ６３：ＮＯ）、フローはステップＳ２３に進み、制御局２００は、周波数情報を基地局１００から受信する（Ｓ２３）。
【０１４２】
各基地局１００のセル内の移動局３００がセル境界付近に存在しない場合（Ｓ２１：ＮＯ）、「Ｆ＝０」（指示信号を送信していない状態）であれば（Ｓ６５：ＹＥＳ）、図７と同様に、動作を終了する。
【０１４３】
一方、「Ｆ＝１」（指示信号を送信した後の状態）であれば（Ｓ６５：ＮＯ）、制御局２００は、基地局１００に不要通知信号を送信し（Ｓ６６）、フラグＦを「０」に設定し（Ｓ６７）、動作を終了する。
【０１４４】
＜効果＞
このように、本実施の形態によれば、制御局２００が、基地局１００に指示信号を一度送信すれば、該基地局１００から継続的に周波数情報を受信できるので、基地局１００と通信する移動局３００がセルエッジ付近に長く留まっている場合に、指示信号の送信／受信の回数を減らすことができる。
【０１４５】
また、本実施の形態によれば、隣接セルにハンドオーバした移動局２００が、その後、ハンドオーバ先のセルエッジ付近からセル中心付近に移動する場合、ハンドオーバ元のセルに戻ってくる場合、あるいは、ハンドオーバ元とハンドオーバ先のセルとの境界付近を移動する場合のいずれの場合においても、ハンドオーバを契機とする指示信号の送受信が発生しないため、ハンドオーバによる制御信号量の増加を防ぐことができる。
【０１４６】
なお、本実施の形態は、図１３Ａ、図１３Ｂに示したフローにステップＳ６１、Ｓ６２、Ｓ６３、Ｓ６４、Ｓ６５、Ｓ６６、Ｓ６７を追加することにより、実施の形態２と組み合わせることができる。
【０１４７】
また、本実施の形態は、１つの周波数を用いて信号伝送を行う場合について示したが、本発明はこれに限定されず、複数の周波数を同時に用いて信号伝送する場合についても適用可能である。
【産業上の利用可能性】
【０１４８】
本発明に係る制御局は、他システムと共用する周波数帯域の一部のキャリア周波数を用いてマルチキャリア通信を行う基地局を制御するのに好適である。
【符号の説明】
【０１４９】
１００  基地局
１０１、１１５、３０１、３１２  アンテナ
１０２、２０１、３０２  受信部
１０３、３０３  フーリエ変換部
１０４、３０４  復調部
１０５、３０５  ターボ復号部
１０６  レベル測定部
１０７  周波数選択部
１０８  制御局通信部
１０９  制御信号生成部
１１０、３０７  ターボ符号化部
１１１、３０８  キャリア配置部
１１２、３０９  変調部
１１３、３１０  フーリエ逆変換部
１１４、２０６、３１１  送信部
２００、２００ａ  制御局
２０２  ハンドオーバ制御部
２０３  指示信号生成部
２０４  周波数選択部
２０５  信号割当情報生成部
２１１  頻度判定部
３００  移動局
３０６  制御信号抽出部
【図１】
2017092927.tif 000003
【図２】
2017092927.tif 000004
【図３】
2017092927.tif 000005
【図４】
2017092927.tif 000006
【図５】
2017092927.tif 000007
【図６】
2017092927.tif 000008
【図７】
2017092927.tif 000009
【図８】
2017092927.tif 000010
【図９】
2017092927.tif 000011
【図１０】
2017092927.tif 000012
【図１１】
2017092927.tif 000013
【図１２】
2017092927.tif 000014
【図１３Ａ】
2017092927.tif 000015
【図１３Ｂ】
2017092927.tif 000016
【図１４】
2017092927.tif 000017
【図１５Ａ】
2017092927.tif 000018
【図１５Ｂ】
2017092927.tif 000019
【図１６Ａ】
2017092927.tif 000020
【図１６Ｂ】
2017092927.tif 000021